(57)【要約】【課題】  生体試料に固有の非特異吸着や、蛋白質の変成を軽減した、ＴＯＦ−ＳＩＭＳ法を用いた蛋白質の検出法を提供する。【解決手段】  ＴＯＦ−ＳＩＭＳ法を用いて対象物を分析する方法において、対象物にイオン化促進物質（銀や金などの金属）を付与し、対象物の種類を判別できる親分子に相当する二次イオンを生成させる。これを用いて空間分解能の高い（〜１μｍ）二次元イメージ像を得ることで、混合蛋白質試料において、電気泳動法や薄層クロマトグラフィーなどの分離精製手法を用いることが出来る。【選択図】  図１
2006201149.tif 000002
【特許請求の範囲】
【請求項１】
対象物の二次イオン質量スペクトルを、飛行時間型二次イオン質量分析法を用いて取得する方法であって、
前記対象物を分離する第一の工程と、
イオン化促進物質を前記対象物に付与する第二の工程と、
前記飛行時間型二次イオン質量分析法により前記対象物の二次イオン質量スペクトルを得る第三の工程と、
を有することを特徴とする前記対象物の組成情報取得方法。
【請求項２】
前記の分離された対象物を化学的手法によって分解する工程を前記第一の工程の後にさらに有することを特徴とする請求項１に記載の前記対象物の組成情報取得方法。
【請求項３】
前記対象物を分離する第一の工程は、イオン化促進物質を含み前記対象物を分離できる機構を有する分離体を用い、電気泳動法又は薄層クロマトグラフィーにより前記対象物を分離する工程であることを特徴とする請求項１に記載の前記対象物の組成情報取得方法。
【請求項４】
前記の分離された対象物を化学的手法によって分解する工程を前記第一の工程の後にさらに有することを特徴とする請求項３に記載の前記対象物の組成情報取得方法。
【請求項５】
前記対象物は、生体関連物質であることを特徴とする請求項１乃至４のいずれか一項に記載の前記対象物の組成情報取得方法。
【請求項６】
前記生体関連物質は、核酸及び蛋白質並びにこれらを化学的手法によって分解した分解物からなる群から選択した物質であることを特徴とする請求項５に記載の前記対象物の組成情報取得方法。
【請求項７】
前記イオン化促進物質は、銀若しくは金又はこれらの混合物であることを特徴とする請求項１乃至４のいずれか一項に記載の前記対象物の組成情報取得方法。
【請求項８】
一次イオンビームの走査により、前記対象物の二次元分布状態の情報を取得することを特徴とする請求項１乃至７のいずれか一項に記載の前記対象物の組成情報取得方法。
【請求項９】
飛行時間型二次イオン質量分析装置を具備する組成情報取得装置であって、前記の分析装置における試料台は、イオン化促進物質を含み、対象物を分離する機構を有することを特徴とする前記対象物の組成情報取得装置。
【請求項１０】
飛行時間型二次イオン質量分析装置を具備する組成情報取得装置であって、
前記の分析装置における試料台は：
イオン化促進物質を含み；且つ
対象物を分離する機構と、分離された対象物を化学的手法によって分解する機構とを有する；
ことを特徴とする前記対象物の組成情報取得装置。
【請求項１１】
飛行時間型二次イオン質量分析を行う試料台において、
イオン化促進物質を含み、対象物を分離する機構を有することを特徴とする飛行時間型二次イオン質量分析用試料台。
【請求項１２】
前記試料台は、イオン化促進物質を含む薄層クロマトグラフィー用プレートであることを特徴とする請求項１１に記載の飛行時間型二次イオン質量分析用試料台。
【請求項１３】
前記試料台は、イオン化促進物質を含み、対象物を分離できる機能と分離された対象物を化学的手法によって分解する機能とを有することを特徴とする請求項１１又は１２に記載の飛行時間型二次イオン質量分析用試料台。
【請求項１４】
請求項１乃至８のいずれか一項に記載の組成情報取得方法により健康状態に関する情報を得る方法において、前記対象物は、生体から採取した試料であることを特徴とする健康状態に関する情報を得る方法。
【請求項１５】
前記試料を固定する試料台は、組成情報取得装置から取り外し可能であることを特徴とする請求項１４に記載の健康状態に関する情報を得る方法。
【請求項１６】
前記質量分析法の結果から得られた二次イオン情報及び分離されたパターン情報に基づいて前記試料の成分を分析する工程を有することを特徴とする請求項１４又は１５に記載の健康状態に関する情報を得る方法。
【請求項１７】
前記の試料の成分を分析する工程は、予め用意された種々の健康状態に対応する二次イオン情報と分離されたパターン情報のライブラリーデータとを比較する行程であることを特徴とする請求項１６に記載の健康状態に関する情報を得る方法。
【発明の詳細な説明】
【技術分野】
【０００１】
本発明は、混合有機物、特に生体関連物質に対してその組成についての情報を、飛行時間型二次イオン質量分析法を用いて取得する方法、そのために用いる組成情報取得装置及び飛行時間型二次イオン質量分析用試料台に関する。
【背景技術】
【０００２】
近年のゲノム解析の進展により、生体内に存在する遺伝子産物であるプロテインの解析の重要性が急速にクローズアップされてきている。
【０００３】
従来から、プロテインの発現及び機能解析の重要性が指摘されており、その解析手法の開発が進められている。これらの手法は基本的に
（１）二次元電気泳動や高速液体クロマトグラフ（ＨＰＬＣ）による分離精製と、
（２）放射線分析、光学的分析、質量分析等の検出系
との組み合わせにより行われてきた。
【０００４】
プロテイン解析技術の展開としては、その基盤ともいえるプロテオーム解析（細胞内プロテインの網羅的解析）によるデータベース構築と、そこで得られたデータベースに基づく診断デバイスや創薬（薬剤候補スクリーニング）デバイスに大別される。いずれの応用形態に対しても上記のような分析時間、スループット、感度、分解能及び柔軟性に問題のある従来方法とは異なった、小型化、高速化、自動化に適したデバイスが求められてきた。これらの要求を満たす手法としてプロテインを高密度に集積したいわゆるプロテインチップの開発が注目されている。
【０００５】
プロテインチップは抗原抗体反応などを利用することにより発現している特定の蛋白質を捕捉し、それを蛍光検出法や表面プラズモン共鳴法、放射性同位体標識法、マトリックス支援レーザー脱離イオン化（ＭＡＬＤＩ）質量分析法などで検出する。また、蛋白質を対象とした他の質量分析法として電界放出を利用したものがある（特許文献１参照）。この方法は、金属電極上に前記蛋白質を、印加エネルギーに応じて分裂可能な開放基を介して、共有結合または配位結合させ、強電界を印加することで前記蛋白質を質量分析計へ導くというものである。
【０００６】
このような検出法に対してプロテインチップが分離精製手法として用いられる理由のひとつに、これら検出法の空間分解能に対し、プロテインチップがちょうどよい広がりを持つことが挙げられる。
【０００７】
例えばＭＡＬＤＩ質量分析法や、その改良型であるＳＥＬＤＩ質量分析法は、現在知られている中で最もソフトなイオン化法であり、分子量が大きく壊れ易いプロテイン（蛋白質ともいう。）をそのままイオン化し、親イオン若しくはそれに準じるイオンを検出できるという優れた特徴を有する。現在ではプロテインの質量を分析する際の標準的なイオン化法の一つとなっている。一方、これらの方法をプロテインチップの質量分析に応用する場合にはマトリクス物質の存在による制約から、蛋白質の二次元分布像（質量情報を用いたイメージング）の検出においてその空間分解能には限界がある。すなわち、励起源であるレーザー光自体は１〜２μｍ径程度に容易に集光できるが、分析対象のプロテインの周辺に存在するマトリクス物質が蒸発、イオン化するため、上記の方法でプロテインの二次元分布像を計測する場合の空間分解能は一般的には１００μｍ程度となってしまう。また、集光させたレーザーを走査するには、レンズやミラーを複雑に動作させる必要がある。つまり、上記の方法でプロテインの二次元分布像を計測する場合、レーザー光を走査させることは難しく、被分析試料を載せた試料ステージを動かす方式に限られる。空間分解能の高いプロテインの二次元分布像を得ようとする場合、試料ステージを動かす方式は一般的には好ましくない可能性がある（機械的な可動部があることは信頼性の面で不利となる場合がある）。
【０００８】
その他の従来の検出法も、対象物の二次元分布像を得ることは難しく、また、金属電極上に対象物を固定する必要があるなど、対象試料の形態に制限がある。
【０００９】
このように検出法の空間分解能という側面からも、充分な空間分解能を持って分離精製が可能であるプロテインチップが注目されている。
【００１０】
一方で、近年、蛋白質の質量分析法において、高感度な質量分析手段あるいは表面分析手段として、飛行時間型二次イオン質量分析法（Ｔｉｍｅ  ｏｆ  Ｆｌｉｇｈｔ  Ｓｅｃｏｎｄａｒｙ  Ｉｏｎ  Ｍａｓｓ  Ｓｐｅｃｔｒｏｍｅｔｒｙ、以下、ＴＯＦ−ＳＩＭＳと略す。）が使われるようになってきた。ＴＯＦ−ＳＩＭＳとは、固体試料の最表面にどのような原子または分子が存在するかを調べるための分析方法であり、以下のような特徴を持つ。すなわち、１０９ａｔｏｍｓ／ｃｍ２（最表面１原子層の１／１０５に相当する量）の極微量成分の検出能があること、有機物、無機物のどちらにも適用できること、表面に存在するすべての元素や化合物を測定できること、試料表面に存在する物質からの二次イオンのイメージングが可能なことである。
【００１１】
以下、この方法の原理を簡単に説明する。
【００１２】
高真空中で、高速のパルスイオンビーム（一次イオン）を固体試料表面に照射すると、スパッタリング現象によって表面の構成成分が真空中に放出される。このとき発生する正または負の電荷を帯びたイオン（二次イオン）を電場によって一方向に収束し、一定距離だけ離れた位置で検出する。一次イオンをパルス状に固体表面に照射すると、試料表面の組成に応じて様々な質量をもった二次イオンが発生するが、軽いイオンほど速く、反対に重いイオンほど遅い速度で飛行するため、二次イオンが発生してから検出されるまでの時間（飛行時間）を測定することで、発生した二次イオンの質量を分析することができる。一次イオンが照射されると固体試料表面の最も外側で発生した二次イオンのみが、真空中へ放出されるので、試料の最表面（深さ数オングストローム程度）の情報を得ることができる。ＴＯＦ−ＳＩＭＳでは一次イオン照射量が著しく少ないため、有機化合物は化学構造を保った状態でイオン化され、質量スペクトルから有機化合物の構造を知ることができる。ただし、ポリエチレンやポリエステルなどの人工高分子、プロテインなどの生体高分子などを通常の条件でＴＯＦ−ＳＩＭＳ分析した場合は、小さな分解フラグメントイオンとなってしまい、元の構造を知ることが一般的には難しい。また、固体試料が絶縁物の場合には、パルスで照射される一次イオンの間隙に電子線をパルスで照射することにより、固体表面に蓄積する正の電荷を中和できるため絶縁物を分析することも可能である。加えて、ＴＯＦ−ＳＩＭＳでは、一次イオンビームを走査することによって、試料表面のイオン像（マッピング）を測定することもできる。
【００１３】
ＴＯＦ−ＳＩＭＳでプロテインを分析した例としては、特定のプロテインの一部分を１５Ｎなどでアイソトープラベル化し、当該プロテインをＣ１５Ｎ−のような二次イオンを用いてイメージング検出するもの（非特許文献１参照）、アミノ酸残基に対応するフラグメントイオン（二次イオン）の種類やその相対強度からプロテインの種類を推定するもの（非特許文献２参照）、さらには各種基板上に吸着させたプロテインについてのＴＯＦ−ＳＩＭＳ検出限界を調べたもの（非特許文献３参照）などが知られている。
【００１４】
このＴＯＦ−ＳＩＭＳ法では、一次イオンを使用するため容易に収束かつ走査させることができるため、高空間分解能の二次イオン像（二次元分布像）を得ることができ、１μｍ程度の空間分解能を得ることも可能である。しかしながら、基板上の対象物に対し、通常の条件でＴＯＦ−ＳＩＭＳ測定を行うと、先に述べたように、生成する二次イオンは小さな分解フラグメントイオンがほとんどで、元の構造を知ることは一般的には難しい。そのため、複数の蛋白質が基板上に配置されたプロテインチップのような試料に対し、当該蛋白質の種類を判別できる高空間分解能の二次イオン像（二次元分布像）を得るには何らかの工夫が必要となる。ベル（A. M. Belu）らの方法は特定の蛋白質の一部分をアイソトープラベル化するもので、ＴＯＦ−ＳＩＭＳの持つ高空間分解能を十分生かせる方法である。しかしながら反面、特定の蛋白質を毎回、アイソトープラベル化するのは一般的ではない。また、マンタス（D. S. Mantus）らが示したアミノ酸残基に対応するフラグメントイオン（二次イオン）の種類やその相対強度からプロテインの種類を推定する方法は、アミノ酸の構成が似た蛋白質が混在する場合は判別が難しくなる。
【００１５】
プロテインの分離、質量分析に関する上記以外の例としては次のようなものがある。高速液体クロマトグラフィーを用いたプロテインの分離において分離能を高めたものである（特許文献２参照）。しかしながら、この文献では分離したプロテインの質量分析による同定には至っていない。また、特許文献３では、特定のプロテインの検出方法と、この検出方法の一つとして質量分析による検出が開示されているが、一般的なプロテインやその混合物を対象としたものではない。
【００１６】
また、生体から採取した試料の分析から健康状態を診断する方法として、例えば、血液のろ過、分離、分析方法を開示したもの（特許文献４参照）などがあるが、二次元的に展開したプロテイン質量情報（質量別の二次元分布状態）から健康状態を診断する方法はほとんど知られていない。
【００１７】
このように、プロテインチップは蛋白質の検出において、該検出器で識別可能な空間領域で蛋白質を分離精製することで診断デバイスや創薬（薬剤候補スクリーニング）デバイスとしての利用が注目されている。
【００１８】
しかしながら、プロテインチップは製造コストが高い上に、該チップに載せられる蛋白質の種類の制限から未知症状の診断について網羅的な調査が難しいことの他、蛋白質の非特異吸着の発生、固定時の蛋白質の変性などが問題となる場合がある。
【特許文献１】特表２００１−５２１２７５号公報
【特許文献２】特許第３３７６９５５号公報
【特許文献３】特許第３０３５３５７号公報
【特許文献４】特開２００１−２５８８６８号公報
【非特許文献１】Ａ．  Ｍ．  Ｂｅｌｕ  ｅｔ  ａｌ．，  Ａｎａｌ．  Ｃｈｅｍ．，  ７３，  １４３  （２００１）
【非特許文献２】Ｄ．  Ｓ．  Ｍａｎｔｕｓ  ｅｔ  ａｌ．，  Ａｎａｌ．  Ｃｈｅｍ．，  ６５，  １４３１  （１９９３）
【非特許文献３】Ｍ．  Ｓ．  Ｗａｇｎｅｒ  ｅｌ．  Ａｌ．，  Ｊ．  Ｂｉｏｍａｔｅｒ．  Ｓｃｉ．  Ｐｏｌｙｍｅｒ  Ｅｄｎ．，  １３，  ４０７  （２００２）
【発明の開示】
【発明が解決しようとする課題】
【００１９】
従って、本発明は、生体試料に固有の非特異吸着や、蛋白質の変成を軽減した、ＴＯＦ−ＳＩＭＳ法を用いた蛋白質の検出法を提供することを目的とする。
【課題を解決するための手段】
【００２０】
本発明の組成情報取得方法は、
対象物の二次イオン質量スペクトルを、飛行時間型二次イオン質量分析法を用いて取得する方法であって、
前記対象物を分離する第一の工程と、
イオン化促進物質を前記対象物に付与する第二の工程と、
前記飛行時間型二次イオン質量分析法により前記対象物の二次イオン質量スペクトルを得る第三の工程と、
を有することを特徴とする。
【００２１】
また、本発明の組成情報取得方法において、前記の分離された対象物を化学的手法によって分解する工程を前記第一の工程の後にさらに有することを特徴とする。本願において、「分離された対象物を化学的手法によって分解する」とは、制限酵素によるＤＮＡの分解やプロテアーゼによる蛋白質の分解等を意味する。
【００２２】
また、本発明の組成情報取得方法において、前記対象物を分離する第一の工程は、イオン化促進物質を含み前記対象物を分離できる機構を有する分離体を用い、電気泳動法又は薄層クロマトグラフィーにより前記対象物を分離する工程であることを特徴とする。
【００２３】
また、本発明の組成情報取得方法において、前記の分離された対象物を化学的手法によって分解する工程を前記第一の工程の後にさらに有することを特徴とする。
【００２４】
なお、前記対象物は、生体関連物質であることが好ましい。また、生体関連物質とは、DNA、RNAなどの核酸や蛋白質を含むが、分子量等に制約はない。また、前記生体関連物質は、核酸及び蛋白質並びにこれらを化学的手法によって分解した分解物からなる群から選択した物質であることが好ましい。さらに、本発明におけるイオン化促進物質とは、金属を含む物質（混合物であってもよい）が好ましく、特に、前記イオン化促進物質は、銀若しくは金又はこれらの混合物であることが好ましい。
【００２５】
さらに、本発明の組成情報取得方法において、一次イオンビームの走査により、前記対象物の二次元分布状態の情報を取得することを特徴とする。
【００２６】
一方、本発明の組成情報取得装置は、飛行時間型二次イオン質量分析装置を具備する組成情報取得装置であって、前記の分析装置における試料台は、イオン化促進物質を含み、対象物を分離する機構を有することを特徴とする。
【００２７】
また、本発明の組成情報取得装置は、飛行時間型二次イオン質量分析装置を具備する組成情報取得装置であって、前記の分析装置における試料台は：イオン化促進物質を含み；且つ対象物を分離する機構と、分離された対象物を化学的手法によって分解する機構とを有する；ことを特徴とする。
【００２８】
また、飛行時間型二次イオン質量分析を行う試料台において、イオン化促進物質を含み、対象物を分離する機構を有することを特徴とする。
【００２９】
また、前記試料台は、イオン化促進物質を含む薄層クロマトグラフィー用プレートであることを特徴とする。
【００３０】
さらに、前記試料台は、イオン化促進物質を含み、対象物を分離できる機能と分離された対象物を化学的手法によって分解する機能とを有することを特徴とする。
【００３１】
さらに、本発明の健康状態に関する情報を得る方法は、請求項１乃至８のいずれか一項に記載の組成情報取得方法により健康状態に関する情報を得る方法において、前記対象物は、生体から採取した試料であることを特徴とする。
【００３２】
また、本発明の健康状態に関する情報を得る方法において、前記試料を固定する試料台は、組成情報取得装置から取り外し可能であることを特徴とする。
【００３３】
さらに、本発明の健康状態に関する情報を得る方法において、得られた二次イオン情報及び分離されたパターン情報に基づいて前記試料の成分を分析する工程を有するであることを特徴とする。また、前記の試料の成分を分析する工程は、予め用意された種々の健康状態に対応する二次イオン情報と分離されたパターン情報のライブラリーデータとを比較する行程であることを特徴とする。
【発明の効果】
【００３４】
本発明の方法により、混合有機物からなる試料を各有機物に特徴的な位置に分離させ、それぞれの「質量情報」を用いてイメージング測定することで、前記混合有機物の二次元分布状態を高空間分解能（〜１μｍ）で可視化し、「質量情報」に加えて有機物の特定の手がかりとなる「位置情報」をも得ることが可能となる。これら二つの情報から、例えば血液など特定の生体試料について、検出される有機物と健康状態とを対応付けてデータベース化しておくことにより、健康状態に関する情報を得ることも可能となる。
【００３５】
また試料を固定する試料台が組成情報取得装置から取り外し可能であるため、試料台が持ち運び可能であり、試料の固定を被験者の元で行うことができる。
【発明を実施するための最良の形態】
【００３６】
以下に、本発明をより詳細に説明する。
【００３７】
本発明は、第一に、従来空間的に高い分解能を持ちながら蛋白質の分析には適当な分析手段と言えなかったＴＯＦ−ＳＩＭＳ法において、イオン化を促進する試薬、例えば銀や金といった金属を試料と共存させることで蛋白質のイオン化を促進することができ、それによって該蛋白質の分析を行うことができるようになったことを利用している。第二に、ＴＯＦ−ＳＩＭＳによる空間的に高分解能な測定が可能になったことで、従来のようなプロテインチップによる分離精製ではなく、より製造コストに優れ、網羅的に蛋白質の分離を行える分離手法、例えば電気泳動法や薄層クロマトグラフィーを用いることが本発明の特徴である。なお、この手法による分離では複数の蛋白質成分が一部混在しながら連続的に分離されるため、従来の検出法（例えば、部分抽出、濃縮後の質量分析など）では充分にその組成を把握できなかった。
【００３８】
本発明の組成情報取得方法は、
対象物の二次イオン質量スペクトルを、飛行時間型二次イオン質量分析法を用いて取得する方法であって、
前記対象物を分離する第一の工程と、
イオン化促進物質を前記対象物に付与する第二の工程と、
前記飛行時間型二次イオン質量分析法により前記対象物の二次イオン質量スペクトルを得る第三の工程と、
を有することを特徴とする。
【００３９】
ここで、第一の行程は、電気泳動法または薄層クロマトグラフィーにより対象物を分離する行程であってもよい。また、第二の行程は、蒸着または化学的修飾によりイオン化促進物質を付与する行程であってもよい。このようにして得た組成物を、第三の行程を実行することにより、対象物に係る情報を取得する。
【００４０】
図２は、本発明の工程を示す。図２において、２０１は、対象物を分離する工程、２０２は対象物にイオン化促進物を付与する工程、２０３は、飛行時間型二次イオン質量分析法により前記対象物の二次イオン質量スペクトルを得る工程を示す。また２０４は対象物を分解する工程を示し、当該工程は、飛行時間型二次イオン質量分析法を行う前に、必要に応じて対象物を所望の大きさに分解を行うことで、他の分析結果と総合的に判断することで分析精度を高めることができる。
【００４１】
以下に上記各工程について詳細に説明する。始めに、対象物を分離する第一の工程について説明する。
【００４２】
本発明における対象物を分離する手法としては、ＴＯＦ−ＳＩＭＳの二次元イメージングという特徴を活かすため、位置の広がりを伴って成分を分離（二次元方向に成分を分離）できる手法であることが必要となる。例えば、このような分離手法としては電気泳動法や薄層クロマトグラフィーなどが挙げられる。なお、ＴＯＦ−ＳＩＭＳ測定時は高真空下に置く必要があるため、分離した試料・基板は充分に乾燥させる必要がある。この分離手法は複数を組み合わせてもよい。例えばＣ８（Ｃ８Ｈ１７の固定されたプレート）とＣ１８（Ｃ１８Ｈ３７の固定されたプレート）のように分離モードの異なるプレートで試料を分離することで、有機物の特定の手がかりとなる「位置情報」をより的確に得ることが出来る。
【００４３】
次に、イオン化促進物質を共存させることで前記対象物のイオン化を促進する第二の工
程について説明する。
【００４４】
本発明においては、イオン化を促進する物質（イオン化促進物質）を、必要に応じて増感物質と表現することがある。
【００４５】
本発明の対象物のイオン化を促進する物質の付与方法は、
（１）基板上に対象物を配置した後に付与する、
（２）基板上に配置される対象物の特定の一種または複数種に対し、予め付与する、
（３）基板上に対象物が配置される前に、予め基板表面に付与する、
のいずれかである。具体的な付与方法としては蒸着、化学的修飾などが挙げられる。
【００４６】
このうち、（１）の方式はあらゆる形態の対象物の解析に応用できる。即ち、汎用性が高い方式である。一方で、基板上に二次元的に分布している対象物に対しイオン化を促進する物質の付与を行う際は、この処理により対象物を拡散させないように注意する必要がある。化学的修飾などの処理で対象物の二次元分布状態が変化してしまっては、本発明の目的を達成できないからである。対象物の二次元分布状態が変化したかどうかは、例えば、化学的修飾を行う前後でのＴＯＦ−ＳＩＭＳ分析の結果との比較などから判断できる。
【００４７】
次に（２）の方式は、予め特定の対象物の特定の部位に、対象物のイオン化を促進し、ＴＯＦ−ＳＩＭＳ分析で感度が上昇する物質（増感物質）を結合させておくものであるが、この方式は特定の対象物の二次元分布状態を選択的にかつ高感度で検出できるという利点を有する。一方で、対象物ごとに予め化学的修飾処理などを行わなければならず、操作がやや煩雑になるという短所がある。なお、上記の増感物質の結合の方式としては共有結合、イオン結合、さらには増感物質として金属錯体を用いる場合の配位結合などが利用でき、特に制限はない。ただし、化学的修飾処理した蛋白質などの対象物を基板上に配置することになるので、該結合は安定であることが必要である。
【００４８】
さらに（３）の方式は、対象物のイオン化を促進し、ＴＯＦ−ＳＩＭＳ分析で感度が上昇する物質（増感物質）を予め基板表面に形成しておくものである。この方式では該増感物質の存在により新たな非特異吸着の問題が発生しないかどうかを十分調べておくことが重要である。この増感物質はＴＯＦ−ＳＩＭＳ分析で感度が上昇させるものであれば特に制限はなく、また対象物と直接結合しないものであってもよい（即ち、ＴＯＦ−ＳＩＭＳ分析で二次イオンを発生させる過程で、該対象物のイオン化効率を高める効果があればよい）。さらに、この増感物質は基板の最表面に形成させることが好ましいが、非特異吸着を防止するため、該増感物質の上に単分子膜程度の別の物質を配置することも可能である。例えば、増感物質として金の蒸着膜を形成し、その上に１１−ｈｙｄｒｏｘｙ−１−ｕｎｄｅｃａｎｅｔｈｉｏｌの自己組織化単分子膜を形成する等の例を挙げることができる。
【００４９】
本発明のイオン化促進物質（増感物質）について説明する。
【００５０】
本発明者らの知見によれば、本発明のイオン化促進物質を対象物に作用させた場合に、対象物に一次イオンを照射した際に二次イオン化生成効率を向上させる作用については、以下のように考えている。
【００５１】
対象物が生体から採取した試料である場合、生体組織中では、測定対象のタンパク質分子のペプチド鎖同士が絡み合い、ＴＯＦ−ＳＩＭＳ法による測定の際、二次イオン種の生成効率を低下させる要因となっている。これに対して本発明においては、生体から採取した試料表面に、イオン化促進物質を含む溶液を作用させ、表面に存在するタンパク質分子に由来する二次イオン種の生成効率を向上させることができる。このイオン化促進物質は、一次イオンを照射する際、表面に存在するタンパク質分子に由来する二次イオン種の生成を促進・増加させる機能を示す物質である。
【００５２】
具体的な作用方法の一例としては、イオン化促進物質を生体から採取した試料表面に存在するタンパク質分子に直接作用させるために、増感物質を含む溶液を試料表面に付与して、表面全体を被覆する状態で保持することが挙げられる。
【００５３】
例えば、イオン化促進物質を含む溶液として、希薄な硝酸銀水溶液を用いると、該水溶液中で解離している銀イオンは、タンパク質分子を構成するペプチド鎖に作用して、銀イオンとタンパク質分子間に結合が生成し、二次イオン種の生成が促進される。このように本発明においては、イオン化促進物質自体、あるいは、イオン化促進物質の構成要素が、タンパク質分子を構成するペプチド鎖に作用して、ペプチド鎖と結合を生成することで、結果的に、タンパク質分子のペプチド鎖同士の絡み合いが解かれた状態となるものと考えられる。
【００５４】
また、銀イオンはそれ自体がイオンとなりやすい物質であることから、この点からもタンパク質分子と結合することでタンパク質のイオン化を促進する効果を持つと考えられる。
【００５５】
本発明において利用され得るイオン化促進物としては、例えば、前記硝酸銀の他、炭酸ナトリウムなどの塩、金や銀などの金属を含む物質（金属錯体など）や金属コロイドなどが挙げられる。また、イオン化促進物を含む溶液は、水溶液の形態が好ましい。
【００５６】
本発明の化学的修飾とは、上記のように、ＴＯＦ−ＳＩＭＳ分析で二次イオンを発生させる過程で、プロテインのイオン化効率を高める効果があり、該プロテインの二次元分布状態を変化させない処理であれば特に制限はないが、化学的修飾剤として金属を含む物質を用いることが好ましい。前記金属の種類としては、本発明者らが検討した限りでは銀または金、さらにはその両者を含む場合が特に好ましかったが、上記の効果を持つものであればこれ以外の金属であってもよい。
【００５７】
化学的修飾の一手法として、基板上に配置された複数のプロテインに対し、銀鏡反応を利用して銀または銀イオンを該プロテインに付加させる方法を挙げることができる。銀鏡反応とは、アンモニア性硝酸銀水溶液に試料を加え、次いでジアンミン銀（Ｉ）イオンを還元し銀を析出させる反応である。銀はイオウとの親和性が高いことから、この反応はシステイン（Ｃｙｓｔｅｉｎｅ；Ｃｙｓ）を含むプロテインに対し特に有効である。また、基板上に二次元的に分布しているプロテインに対しこの反応を利用する場合は、同処理により該プロテインを拡散させないよう注意を払う必要がある。この反応に用いる試薬として、市販品（例えば、和光純薬製「銀染色ＩＩキットワコー」など）を使用してもよい。また、硝酸銀水溶液を直接噴霧することによっても対象物のイオン化を促進する効果を得ることが出来る。
【００５８】
しかしながら、化学的修飾の方法は上記に限られず、ＴＯＦ−ＳＩＭＳ分析における対象物の二次イオン化効率を高める効果があり、該対象物の二次元分布状態を変化させない処理であればいかなる方法を用いてもよい。
【００５９】
最後に、飛行時間型二次イオン質量分析法により、前記対象物の質量に関する情報（二次イオン質量スペクトル）を得る第三の工程について説明する。
【００６０】
本発明の対象物の二次元分布状態の検出（イメージング）は、前記対象物を識別できる二次イオンを用いることを特徴としており、この二次イオンは質量／電荷比が５００以上のイオンであることが好ましく、質量／電荷比が１０００以上のイオンであることが特に好ましい。その理由は、蛋白のアミノ酸は典型的には質量数が１００〜２００であるため、重い二次イオンを検出できるほうが同定能力が高く、蛋白の同定に有用なデータとして、質量／電荷比が１０００以上では５〜１０のアミノ酸配列を知ることが出来、同定に有利であるからである。
【００６１】
また、一次イオン種としては、イオン化効率、質量分解能等の観点からガリウムイオン、セシウムイオン、また、場合によっては金（Ａｕ）イオン等が、好適に用いられる。なお、Ａｕイオンを用いると、極めて高感度の分析が可能となる点で好ましい。その際、Ａｕイオンのみならず、金の多原子イオンである、Ａｕ２イオン、Ａｕ３イオンを用いることができ、この順で感度の上昇が図られる場合も多く、金の多原子イオンの利用は、さらに好ましい形態となる。
【００６２】
さらに、一次イオンビームパルス周波数は、１ｋＨｚ〜５０ｋＨｚの範囲であることが望ましく、また、一次イオンビームエネルギーは、１２ｋｅＶ〜２５ｋｅＶの範囲であること、さらには、一次イオンビームパルス幅は、０．５ｎｓ〜１０ｎｓの範囲であることが望ましい。
【００６３】
また、本発明は、定量精度を向上させるために、高い質量分解能を保持し、比較的短時間で測定を完了させる必要があることから（一測定が数１０秒から数１０分のオーダー）、一次イオンビーム径は多少犠牲にして測定することが好ましい。具体的には、一次イオンビーム径をサブミクロンオーダーまで絞らずに、１μｍから１０μｍの範囲に設定することが好ましい。その理由は、装置のスペック上、短時間で測定を終わらせることができるからである。
【００６４】
このようにして得られる二次イオンの質量数に関する情報、および該二次イオンのイメージングにより得られる（対象物が分離された）パターン情報に基づいて試料の成分を分析することも可能となる。
【００６５】
即ち、本発明における成分分析は対象物のイオン化を促進するための物質（イオン化促進物質）を用いて試料のイオン化を促進する第二の工程によって試料をより的確に特定できる情報を得ることを特徴とする。さらに、対象物を分離する第一の工程により、分離された各成分それぞれに特有な分離位置情報を更に特定のための情報として用いることにより、精度良く混合有機物試料の同定を行うことを特徴としている。例えば薄層クロマトグラフィーの場合、同一の分離条件においては各有機物試料がそれぞれ固有の位置に再現性良く分離される。これに、例えば銀原子を並存させてＴＯＦ−ＳＩＭＳ測定を行うことで、試料特定に有利な大きな質量／電荷比を持つ二次イオンを得ることが出来る。これらの情報を併せることで精度良く混合有機物試料の同定を行うことが出来る。特に、生体の特定の部位における蛋白質組成についてこれら二次イオンの質量数と分離位置についてのデータベースライブラリーを作製しておけば、健康状態の変化などに伴う組成変化を迅速に特定することが出来、健康状態の診断に用いることが出来る。
【００６６】
次に図３を参照して本発明の試料台の断面図を示す。図３は、本発明の試料台の断面図を示す。図３において３０３は基板、３０２は分離体、３０１はイオン化促進物質である。
【００６７】
イオン化促進物質３０１は分離体３０２の表面にのみ設けても良いが、分離体の内部に含まれていても良い。イオン化促進物質３０１を分離体３０２の表面に形成する方法としては、スパッタ、蒸着、ＣＶＤ、電析等の方法を用いることが好ましい。
【００６８】
前記対象物を分離する機能としての分離体３０２上にイオン化促進物質を設ける場合、その厚さとしては、厚すぎると、対象物の検出が困難になるため、当該厚さの上限としては好ましくは１００ｎｍ以下、より好ましくは１０ｎｍ以下、最適には５ｎｍ以下である。一方当該イオン化促進物質の厚さの下限としては、イオン化促進機能が発現され、目的とする対象物の分析が可能であれば特に制限はない。本発明者らの知見によれば、分離体上のイオン化促進物質の密度が１０１０ａｔｏｍｓ／ｃｍ２以上であれば本発明の分析を行うことができる。
【００６９】
薄層クロマトグラフィーにより分離を行う場合は、対象物を分離する機能としての分離体３０２としては、所望の空隙を有するガラスの焼結体を基板３０３に固定したもの、同様にセルロースを基板３０３に固定したもの等を採用することが好ましい。
【００７０】
また電気泳動法により分離を行う場合は、対象物を分離する機能としての分離体３０２としては、所望の空隙を有するゲル状物質、例えばポリアクリルアミドゲル、アガロースゲル等を採用することが好ましい。そして電気泳動法により試料から対象物を分離する場合は、前記ゲルに試料を滴下した後、所定の電界（例えば１００Ｖ）を印加し、所定の時間電界を印加した状態を維持することによって対象物を分離することができる。
【００７１】
次に図４を用いて本発明の試料台を用いた対象物の分離方法を説明する。図４において４０１はガラスキャピラリー、４０２は試料溶液、４０３はイオン化促進物質を有する試料台、４０４は対象物を分解する試薬（噴霧状態）、４０５は展開された試料スポットである。
【００７２】
本発明において上記試料台とは、薄層クロマトグラフィー用プレート等のプレート自体、または当該プレート等を飛行時間型二次イオン質量分析装置に取り付けるためのホルダー等に固定したもの全体を示す。
【００７３】
本発明の試料台はイオン化促進物質を含み、且つ対象物を分離できる機構または機能を有するものである。この試料台の具体例は、このような機能を有するものであれば、薄層クロマトグラフィー用プレートに限定されず、例えば、電気泳動法などがある。また必要に応じて分離された対象物を分解する工程を設けることができる。
【００７４】
例えばイオン化促進物質である銀を蒸着した試料台（銀を蒸着した薄層クロマトグラフィー用プレート）４０３を調製し、これにガラスキャピラリー４０１を用いて試料溶液４０２を展開させることで試料溶液４０２から対象物を分離することができる。展開された試料スポット４０５に対象物を分解する試薬（噴霧状態）４０４を噴霧することで分離した対象物を分解することができる。
【００７５】
上記対象物を分解する試薬（噴霧状態）４０４は必要に応じて噴霧手段を本発明の組成情報取得装置に設けることにより、一連の作業を効率的に行うことができる。
【００７６】
以下に、実施例を挙げて、本発明をより具体的に説明する。以下に示す具体例は、本発明にかかる最良の実施形態の一例ではあるが、本発明はかかる具体的形態に限定されるものではない。
【実施例１】
【００７７】
生体関連試料が分離された分析用試料プレートの作製（１）
薄層クロマトグラフィー用プレート（Merck製、ＲＰ−１８、層厚０．２ｍｍ）を３０ｍｍ×５ｍｍに切断し、該プレートにスパッタ蒸着にてＡｇ単一原子層を形成する。
【００７８】
次に、合成ペプチドＩ（ペプチド配列：GGGGCGGGGG、Ｃ２１Ｈ３４Ｎ１０Ｏ１１Ｓ  （平均分子量：６３４．６１、同位体存在比が最も高い元素からなる分子の質量：６３４．２１）シグマジェノシスジャパン社より購入）及び合成ペプチドＩＩ（ペプチド配列：GGGGCEGGGG、Ｃ２４Ｈ３８Ｎ１０Ｏ１３Ｓ （平均分子量：７０６．７９、同位体存在比が最も高い元素からなる分子の質量：７０６．２３）シグマジェノシスジャパン社より購入）の各々１０μＭ混合水溶液を調製する。これをプレート中央部に１０μｌ滴下し、これにガラスキャピラリー管により０．１ｖｏｌ％トリフルオロ酢酸入りアセトニトリル：蒸留水の１：１（容量比）溶液を浸透させることで展開させる。このような試料を複数枚作製する。
【実施例２】
【００７９】
実施例１で作製される試料のＴＯＦ−ＳＩＭＳ分析
実施例１で作製される試料を風乾し、これをＩＯＮ  ＴＯＦ社製ＴＯＦ−ＳＩＭＳ  ＩＶ型装置を用いて分析する。測定条件を以下に要約する。
【００８０】
一次イオン：２５ｋＶ  Ｇａ+、０．６ｐＡ（パルス電流値）、ランダムスキャンモード
一次イオンのパルス周波数：２．５ｋＨｚ（４００μｓ／ｓｈｏｔ）
一次イオンパルス幅：約１ｎｓ
一次イオンビーム直径：約５μｍ
測定領域：マクロラスタ（３０ｍｍ×５ｍｍ）
積算回数：２５６
このような条件で正および負の二次イオン質量スペクトルを測定すると、合成ペプチドＩについては正の二次イオン質量スペクトルにおいて、その親分子にＡｇが付加し、さらに、炭素、酸素原子が一つずつ付加した質量に相当する二次イオンを検出することができる。また合成ペプチドＩＩについても同様に、正の二次イオン質量スペクトルにおいてその親分子にＡｇが付加し、さらに、炭素、酸素原子が一つずつ付加した質量に相当する二次イオンを検出することができる。
【００８１】
合成ペプチドＩにおける、この領域のスペクトル拡大図を図１（ａ）に、同位体存在比を基に算出した理論スペクトルを図１（ｂ）にそれぞれ示す。図１中、矢印を付けたピークは上記のイオン［（合成ペプチドＩ）＋（Ａｇ）＋（ＣＯ）］＋に相当するもので、矢印二本はそれぞれ二つのＡｇの同位体（質量数：１０７，１０９）に対応している。右側の矢印を付けたピークは１０９Ａｇを含むもので、そのｍ／ｚ値（７７１．２）は、［（合成ペプチドＩ）＋（１０９Ａｇ）＋（ＣＯ）］＋の理論値にほぼ一致する。合成ペプチドＩＩにおいても同様なスペクトルが得られる。これら合成ペプチドＩ及びＩＩの親イオンに準じるこれらの二次イオンを用いることで、該合成ペプチドＩ及びＩＩの二次元分布状態を反映した二次元イメージ像を得ることができる。
【００８２】
これら合成ペプチドＩ及びＩＩはＡｇ単一原子層が形成された薄層クロマトグラフ上で再現性良く分離される。
【００８３】
なお、Ａｇ単一原子層形成を行わない薄層クロマトグラフィー用プレートでは、上記の親イオンに準じる二次イオンピークは観測されない。また、親分子に相当する質量域においても二次イオンピークは観測されない。
【実施例３】
【００８４】
生体関連試料が分離された分析用試料プレートの作製（２）
薄層クロマトグラフィー用プレート（Ｍｅｒｃｋ製、ＲＰ−１８、層厚０．２ｍｍ）を３０ｍｍ×５ｍｍに切断し、試料分離用プレートとする。
【００８５】
次に、実施例１と同様の合成ペプチドＩ及び合成ペプチドＩＩの各々１０μＭ混合水溶液を調製する。これをプレート中央部に１０μｌ滴下し、これにガラスキャピラリー管により０．１ｖｏｌ％トリフルオロ酢酸入りアセトニトリル：蒸留水の１：１（容量比）溶液を浸透させることで展開させる。これに１０μＭ硝酸銀水溶液をプレート表面がやや湿る程度に噴霧を行う。例えば、１μＬ／ｃｍ２程度の量が好ましい。このような試料を複数枚作製する。
【実施例４】
【００８６】
実施例３で作製される試料のＴＯＦ−ＳＩＭＳ分析
実施例３で作製される試料を風乾し、これをＩＯＮ  ＴＯＦ社製ＴＯＦ−ＳＩＭＳ  ＩＶ型装置を用いて分析する。測定条件は実施例２と同一とする。
【００８７】
その結果、実施例２に示すものと同様のピークが観測される。また、これら合成ペプチドＩ及びＩＩの親イオンに準じるこれらの二次イオンを用いることで、該合成ペプチドＩ及びＩＩの二次元分布状態を反映した二次元イメージ像を得ることができる。
【００８８】
これら合成ペプチドＩ及びＩＩは硝酸銀水溶液噴霧を行った後の薄層クロマトグラフ上で再現性良く分離される。
【００８９】
なお、硝酸銀水溶液の噴霧を行わない薄層クロマトグラフィー用プレートでは、上記の親イオンに準じる二次イオンピークは観測されない。また、親分子に相当する質量域においても二次イオンピークは観測されない。
【実施例５】
【００９０】
生体関連試料が分離された分析用試料プレートの作製（３）
薄層クロマトグラフィー用プレート（Ｍｅｒｃｋ製、ＲＰ−１８、層厚０．２ｍｍ）を３０ｍｍ×５ｍｍに切断し、該プレートにスパッタ蒸着にてＡｇ単一原子層を形成する。
【００９１】
次に健常人の血液を２ｍｌ採取し、これに０．２ｖｏｌ％トリフルオロ酢酸入りアセトニトリル２ｍｌを加える。これを乳鉢にて磨砕し、更に超音波処理を１０分間行う。これを遠心分離（５０，０００Ｇ×６０分間）にかけ、得られた上澄み液Ｉを分取する。なお、以上の操作は、全ての試料が４℃付近で保持されるように留意して行う。
【００９２】
分取された上澄み液Ｉのうち１ｍｌを凍結乾燥させ、これを２０μｌの蒸留水にて溶解させる。これを遠心分離（５０，０００Ｇ×６０分間）にかけ、最終的に上澄み液１０μｌが得られる。これをプレート中央部に１０μｌ滴下し、これにガラスキャピラリー管により０．１ｖｏｌ％トリフルオロ酢酸入りアセトニトリル：蒸留水の１：１（容量比）溶液を浸透させることで展開させる。このような試料を複数枚作製する（試料Ｉ）。
【００９３】
比較用試料として同様に上澄み液Ｉのうち１ｍｌを凍結乾燥させ、これにコレステロール（Ｃ２７Ｈ４６Ｏ；平均分子量：３８６．７３、同位体存在比が最も高い元素からなる分子の質量：３８６．３５）を２００μｇ添加したものを２０μｌの蒸留水にて溶解させる。これを遠心分離（５０，０００Ｇ×６０分間）にかけ、最終的に上澄み液１０μｌが得られる。これをプレート中央部に１０μｌ滴下し、これにガラスキャピラリー管により０．１ｖｏｌ％トリフルオロ酢酸入りアセトニトリル：蒸留水の１：１（容量比）溶液を浸透させることで展開させる。このような試料を複数枚作製する（試料ＩＩ）。
【実施例６】
【００９４】
実施例５で作製される試料のＴＯＦ−ＳＩＭＳ分析
実施例５で作製される試料を風乾し、これをＩＯＮ  ＴＯＦ社製ＴＯＦ−ＳＩＭＳ  ＩＶ型装置を用いて分析する。測定条件は実施例２と同一とする。
【００９５】
その結果、試料Ｉ及び試料ＩＩについては正の二次イオン質量スペクトルにおいて、コレステロール分子の親分子にＡｇが付加した質量に相当する二次イオンを検出することができる。また、コレステロールの親イオンに準じるこの二次イオンを用いることで、該試料Ｉ及びＩＩにおけるコレステロールの二次元分布状態を反映した二次元イメージ像を得ることが出来る。両者のイメージ像は同一の位置に見られるが、その強度は試料ＩＩの方が試料Ｉに比べて約３倍強い値を示す。
【実施例７】
【００９６】
生体関連試料が分離された分析用試料プレートの作製（４）
薄層クロマトグラフィー用プレート（Ｍｅｒｃｋ製、ＲＰ−１８、層厚０．２ｍｍ）を３０ｍｍ×５ｍｍに切断し、該プレートにスパッタ蒸着にてＡｇ単一原子層を形成する。
【００９７】
次に、実施例１と同様の合成ペプチドＩ及び合成ペプチドＩＩの各々２０μＭ混合水溶液を調製する。これを１００μｌ採取し、プロテアーゼとしてｅｎｄｏｐｒｏｔｅｉｎａｓｅ−Ｇｌｕ−Ｃ（セリンプロテアーゼ。タンパク質・ペプチドのE及びDのC端側を特異的に分解する。）の１．５μｇ／μｌ溶液（０．１Ｍリン酸ナトリウム緩衝液、ｐＨ：８．０）を１００μｌ加え、３７℃で１８時間インキュベートする。処理した溶液をプレート中央部に１０μｌ滴下し、これにガラスキャピラリー管により０．１ｖｏｌ％トリフルオロ酢酸入りアセトニトリル：蒸留水の１：１（容量比）溶液を浸透させることで展開させる。このような試料を複数枚作製する。
【実施例８】
【００９８】
実施例７で作製される試料のＴＯＦ−ＳＩＭＳ分析
実施例７で作製される試料を風乾し、これをＩＯＮ  ＴＯＦ社製ＴＯＦ−ＳＩＭＳ  ＩＶ型装置を用いて分析する。測定条件は実施例２と同一とする。
【００９９】
その結果、実施例２に示す合成ペプチドＩと同様のピークが観測される。また、合成ペプチドＩＩに相当するピークは非常に弱い。一方で、GGGGC及びEGGGGにＡｇの付加した親イオンに準じるピークが確認される。これらの二次イオンを用いることで、該合成ペプチドＩ及びＩＩに由来する分解物の二次元分布状態を反映した二次元イメージ像を得ることができる。
【０１００】
これら合成ペプチドＩ及びＩＩに由来する分解物はＡｇ単一原子層形成を行った薄層クロマトグラフ上で再現性良く分離される。
【０１０１】
なお、Ａｇ単一原子層形成を行わない薄層クロマトグラフィー用プレートでは、上記の親イオンに準じる二次イオンピークは観測されない。また、親分子に相当する質量域においても二次イオンピークは観測されない。
【実施例９】
【０１０２】
生体関連試料が分離された分析用試料プレートの作製（５）
薄層クロマトグラフィー用プレート（Ｍｅｒｃｋ製、ＲＰ−１８、層厚０．２ｍｍ）を３０ｍｍ×５ｍｍに切断し、該プレートにスパッタ蒸着にてＡｇ単一原子層を形成する。
【０１０３】
次に、実施例１と同様の合成ペプチドＩ及び合成ペプチドＩＩの各々１０μＭ混合水溶液を調製する。これをプレート中央部に１０μｌ滴下し、これにガラスキャピラリー管により０．１ｖｏｌ％トリフルオロ酢酸入りアセトニトリル：蒸留水の１：１（容量比）溶液を浸透させることで展開させる。これにプロテアーゼとしてｅｎｄｏｐｒｏｔｅｉｎａｓｅ−Ｇｌｕ−Ｃの１．５μｇ／μｌ溶液（０．１Ｍリン酸ナトリウム緩衝液、ｐＨ：８．０）をプレート表面がやや湿る程度、例えば、１μＬ／ｃｍ２程度の量が好ましい。に噴霧し、湿度１００％、３７℃で１８時間インキュベートする。このような試料を複数枚作製する。
【実施例１０】
【０１０４】
実施例９で作製される試料のＴＯＦ−ＳＩＭＳ分析
実施例９で作製される試料を風乾し、これをＩＯＮ  ＴＯＦ社製ＴＯＦ−ＳＩＭＳ  ＩＶ型装置を用いて分析する。測定条件は実施例２と同一とする。
【０１０５】
その結果、実施例２に示す合成ペプチドＩと同様のピークが観測される。また、合成ペプチドＩＩに相当するピークは非常に弱い。一方で、GGGGC及びEGGGGにＡｇの付加した親イオンに準じるピークが実施例２において合成ペプチドＩＩに相当する位置に確認される。これらの二次イオンを用いることで、該合成ペプチドＩ及びＩＩに由来する分解物の二次元分布状態を反映した二次元イメージ像を得ることができる。
【０１０６】
これら合成ペプチドＩ及びＩＩに由来する分解物はＡｇ単一原子層形成を行った薄層クロマトグラフ上で再現性良く分離される。
【０１０７】
なお、Ａｇ単一原子層形成を行わない薄層クロマトグラフィー用プレートでは、上記の親イオンに準じる二次イオンピークは観測されない。また、親分子に相当する質量域においても二次イオンピークは観測されない。
【０１０８】
本発明は健康状態に関する情報を得る手法として利用することが期待され、その利用価値は極めて高い。
【図面の簡単な説明】
【０１０９】
【図１】実施例２における正の二次イオン質量スペクトルの部分拡大図を示し、（ａ）実測スペクトルであり、（ｂ）同位体存在比を基に算出した理論スペクトルを示す。
【図２】本発明の工程を示す。
【図３】本発明の試料台の断面図を示す。
【図４】本発明の試料台の拡大図を示す。
【符号の説明】
【０１１０】
２０１    対象物を分離する工程
２０２    対象物にイオン化促進物を付与する工程
２０３    飛行時間型二次イオン質量分析法により前記対象物の二次イオン質量スペクトルを得る工程
２０４    対象物を分解する工程
３０１    イオン化促進物質
３０２    分離体
３０３    基板
４０１    ガラスキャピラリー
４０２    試料溶液
４０３    イオン化促進物質を有する試料台
４０４    対象物を分解する試薬（噴霧状態）
４０５    展開された試料スポット
【図１】
2006201149.tif 000003
【図２】
2006201149.tif 000004
【図３】
2006201149.tif 000005
【図４】
2006201149.tif 000006